(57)【特許請求の範囲】
【請求項１】
レンズを保持するレンズ保持部材に設けられたカムフォロア部が当該レンズ保持部材の外周にあるカム筒のカム溝部と係合するとともに、前記レンズ保持部材に設けられた直進キー部が当該レンズ保持部材の外周側にあるガイド部材の直進ガイド溝部と係合することで、当該カム筒の回転にともなって当該レンズ保持部材に光軸方向の駆動力を与えるレンズ鏡筒であって、
前記カムフォロア部と前記直進キー部とは鏡筒径方向に並んで設けられており、
前記直進キー部は、鏡筒周方向の幅が前記カムフォロア部よりも大きく、また前記直進ガイド溝部との係合により前記カムフォロア部の前記カム溝部に対する鏡筒径方向への移動を制限する形状を有することを特徴とするレンズ鏡筒。
【請求項２】
前記直進キー部に鏡筒周方向に突出する爪状部分が形成されているとともに、前記直進ガイド溝部の鏡筒周方向端面に前記爪状部分が鏡筒径方向において係合可能で光軸方向に延びるレール部分が形成されていることを特徴とする請求項１に記載のレンズ鏡筒。
【請求項３】
前記爪状部分と前記レール部分との係合面が、光軸方向視においてテーパー面になるように形成されていることを特徴とする請求項２に記載のレンズ鏡筒。
【請求項４】
前記直進キー部の前記爪状部分が、前記レンズ保持部材に一体形成されていることを特徴とする請求項２または３に記載のレンズ鏡筒。
【請求項５】
前記レンズ保持部材が、最も物体側のレンズを保持することを特徴とする請求項１から４のいずれかに記載のレンズ鏡筒。
【請求項６】
請求項１から５のいずれかに記載のレンズ鏡筒を備えたことを特徴とするカメラ。
【発明の詳細な説明】
【０００１】
【発明の属する技術分野】
本発明は、レンズ鏡筒およびカメラに関するものであり、さらに詳しくは繰り出し式レンズ鏡筒の衝撃対策に関するものである。
【０００２】
【従来の技術】
繰り出し式レンズ鏡筒の基本的構造は、特開２０００−１９４０４６号公報等にて提案されているように、差動筒と直進規制部材との相対回転によってこれらの内外周にある鏡筒構成部材が繰り出すいわゆる差動繰り出し機構を用いたものが多い。
【０００３】
図４から図７には、上記特開２０００−１９４０４６号公報等にて提案されている差動繰り出し鏡筒を用いたデジタルカメラの構成を示している。なお、図４にはカメラの使用状態（鏡筒繰り出し状態）を、図５にはカメラの非使用状態（鏡筒沈胴状態）をそれぞれ示している。また、図６には図４における１群保持鏡筒ピン部１２１ａのＡ−Ａ断面を、図７には１群保持鏡筒１２１に光軸方向から衝撃が加わったときの状態を示している。
【０００４】
図４から図７において、１０１はカメラ本体である。カメラ本体１０１は不図示の操作部材および液晶表示装置１０２を有する外装部材１０３によって覆われている。
【０００５】
また、カメラ本体１０１はファインダブロック１０４と、電気素子等からなる回路を有するハード基板１０５と、不図示の電池と、不図示の記録装置と、不図示のストロボと、繰り出し式のレンズ鏡筒１０６とを保持している。
【０００６】
このようなデジタルカメラにおいて、繰り出し式のレンズ鏡筒１０６の構成を説明する。
【０００７】
１０７は撮像素子であるＣＣＤ、１０８はローパスフィルタであり、それぞれベース１０９に固定されている。
【０００８】
ベース１０９には、３群レンズ１１０を保持する３群ホルダ１１１と、ステップモータおよびネジ送り装置からなるレンズ繰り出し機構１１２が取り付けられており、このレンズ繰り出し機構１１２の作動によって３群が光軸方向に駆動される。
【０００９】
１１３は固定筒であり、その内周にはカム溝部１１３ａおよび直進キー溝部１１３ｂが形成されている。この固定筒１１３はベース１０９に固定されている。
【００１０】
１１４は固定筒１１３の外周に嵌合し、光軸回りで回転する駆動環である。この駆動環１１４は、その外周に設けられたギア部１１４ａに連結された不図示の鏡筒モータ等からなる鏡筒駆動装置およびギア列１１５によって回転駆動される。また、駆動環１１４は、その内周に駆動キー溝部１１４ｂを有する。
【００１１】
固定筒１１３の内周には、カム筒１１６が設けられている。このカム筒１１６の外周には、固定筒１１３のカム溝部１１３ａに係合するカムピン１１６ａと、駆動環１１４の駆動キー溝部１１４ｂに係合する駆動ピン１１６ｂとが一体的に設けられている。また、カム筒１１６の内周には、１群カム溝部１１６ｃと２群カム溝部１１６ｄとが形成されている。
【００１２】
駆動環１１４が回転すると、駆動キー溝部１１４ｂと駆動ピン１１６ｂとの係合によってカム筒１１６は回転しながらカム溝部１１３ａに沿って光軸方向に駆動される。
【００１３】
１１７はカム筒１１６の内周に嵌合した直進筒であり、この直進筒１１７は、固定筒１１３の直進キー溝部１１３ｂに係合する直進キー部１１７ａを有する。また、この直進筒１１７は、その光軸方向両端に設けられたバヨネット爪１１７ｂとフランジ１１７ｃとによってカム筒１１６を光軸方向にて挟み込んでおり、これにより直進筒１１７は、カム筒１１６と共に光軸方向に回転することなく移動する。
【００１４】
直進筒１１７には、その筒本体部を貫通する３箇所の１群直進キー溝部１１７ｄと、筒本体部を貫通する３箇所の２群直進キー溝部１１７ｅとが設けられている。
【００１５】
１１９は鏡筒収納時に１群レンズ１１８を保護するレンズバリアであり、１２０はこのレンズバリア１１９を開閉駆動するバリア駆動装置である。これらレンズバリア１１９およびバリア駆動装置１２０は、１群保持鏡筒１２１の前端部に固定されている。
【００１６】
１群保持鏡筒１２１は、カム筒１１６の１群カム溝部１１６ｃに係合する３個所のピン部１２１ａと、直進筒１１７の１群直進キー溝部１１７ｄに係合する３箇所の直進キー部１２１ｂとを有する。この１群保持鏡筒１２１は、直進筒１１７によって直進のみ許容されることから、カム筒１１６の回転に伴ってカメラ本体に対して回転することなく、１群カム溝部１１６ｃに沿って駆動され、カム筒１１６に対して光軸方向に進退する。
【００１７】
１２２は２群レンズであり、２群ホルダ１２５に保持されている。また、２群ホルダ１２５には。シャッター羽根１２３およびシャッター駆動装置１２４が取り付けられている。
【００１８】
２群ホルダ１２５は、カム筒１１６の２群カム溝部１１６ｄに係合する不図示の２箇所のカムピン１２５ａと、付勢バネ１２６によって径方向外方に付勢されて２群カム溝部１１６ｄに押圧される付勢ピン１２７と、直進筒１１７の２群直進キー溝部１１７ｅに係合する直進キー部１２５ｂとを有する。
【００１９】
この２群ホルダ１２５は、２群直進キー溝部１１７ｅによって光軸方向への移動のみが許容され、カム筒１１６の回転に伴ってカメラ本体に対し回転することなく、２群カム溝１１６ｄに沿って駆動され、カム筒１１６に対して光軸方向に進退する。
【００２０】
ハード基板１０５の回路には、不図示の鏡筒モータ等からなる鏡筒駆動装置、レンズ繰り出し機構１１２およびシャッター駆動装置１２４がフレキシブルプリント基板１２８を介して電気的に接続されている。
【００２１】
このように構成された差動繰り出し鏡筒を用いたデジタルカメラにおいて、図５に示す非使用状態から外装部材１０３の操作部材を操作して使用状態にすると、ハード基板１０５上の回路によって鏡筒駆動装置が制御され、駆動環１１４が回転駆動されることによって、カム筒１１６および１群保持鏡筒１２１が光軸方向に進退駆動されるとともに、２群ホルダ１２５が光軸方向に繰り出す。また、レンズ繰り出し機構１１２を制御することで、３群レンズ１１０を駆動し、光学系を図４に示す使用状態に配置する。
【００２２】
使用状態でレリーズ操作がなされると、ＡＦ，ＡＥ動作を行いって露光、画像処理および記録動作が行われる。
【００２３】
【発明が解決しようとする課題】
以上説明したレンズ鏡筒ないしカメラでは、図４に示すカメラの使用状態において、落下等によって１群保持鏡筒１２１に光軸方向の衝撃（図７中に矢印で示す）が加わった場合、１群保持鏡筒１２１のピン部１２１ａがカム筒１１６の１群カム溝部１１６ｃの斜面に沿って、図６（破線）に示すように内周に逃げるため、図７に示すように、ピン部１２１ａがカム溝部１１６ｃから外れてしまうという問題がある。
【００２４】
そこで、本発明は、繰り出しタイプのレンズ鏡筒において、レンズ鏡筒に加わる光軸方向の外力によってカム係合部が容易に外れないようにしたレンズ鏡筒およびカメラを提供することを目的としている。
【００２５】
【課題を解決するための手段】
上記の目的を達成するために、本発明では、レンズを保持するレンズ保持部材に設けられたカムフォロア部が当該レンズ保持部材の外周にあるカム筒のカム溝部と係合するとともに、前記レンズ保持部材に設けられた直進キー部が当該レンズ保持部材の外周側にあるガイド部材の直進ガイド溝部と係合することで、当該カム筒の回転にともなって当該レンズ保持部材に光軸方向の駆動力を与えるレンズ鏡筒であって、前記カムフォロア部と前記直進キー部とは鏡筒径方向に並んで設けられており、前記直進キー部は、鏡筒周方向の幅が前記カムフォロア部よりも大きく、また前記直進ガイド溝部との係合により前記カムフォロア部の前記カム溝部に対する鏡筒径方向への移動を制限する形状を有する。
【００２６】
これにより、レンズ保持筒に光軸方向外力が作用してカムフォロア部がカム溝部に対して鏡筒径方向に移動（外れ）しようとしても、直進キー部と直進ガイド溝部との移動制限作用によって上記外れが確実に防止され、衝撃に強いレンズ鏡筒を実現することが可能となる。
【００２７】
具体的には、例えば、直進キー部に鏡筒周方向に突出する爪状部分を形成するとともに、直進ガイド溝部の鏡筒周方向端面に上記爪状部分が鏡筒径方向において係合可能で光軸方向に延びるレール部分を形成する。
【００２８】
なお、爪状部分とレール部分との係合面を、光軸方向視において（つまりは光軸直交断面が）テーパー面となるように形成することにより、上記係合面にレンズ保持筒の光軸方向ガイド面としての役割をも果たさせることが可能であり、本来の直進ガイド溝部としての機能を損なうことなく上記外れを確実に防止することが可能となる。
【００２９】
【発明の実施の形態】
図１から図３には、本発明の実施形態である繰り出しタイプのレンズ鏡筒を用いたデジタルカメラの構成を示している。
【００３０】
なお、図１にはカメラの使用状態（鏡筒繰り出し状態）を、図２にはカメラの非使用状態（鏡筒沈胴状態）をそれぞれ示している。また、図３には図１における１群保持鏡筒ピン部２１ａのＢ−Ｂ断面を示している。
【００３１】
図１から図３において、１はカメラ本体である。カメラ本体１は不図示の操作部材および液晶表示装置２を有する外装部材３によって覆われている。
【００３２】
また、カメラ本体１はファインダブロック４と、電気素子等からなる回路を有するハード基板５と、不図示の電池と、不図示の記録装置と、不図示のストロボと、繰り出し式のレンズ鏡筒６とを保持している。
【００３３】
このようなデジタルカメラにおいて、繰り出し式のレンズ鏡筒６の構成を説明する。
【００３４】
７は撮像素子であるＣＣＤ、８はローパスフィルタであり、それぞれベース９に固定されている。
【００３５】
ベース９には、３群レンズ１０を保持する３群ホルダ１１と、ステップモータおよびネジ送り装置からなるレンズ繰り出し機構１２が取り付けられており、このレンズ繰り出し機構１２の作動によって３群が光軸方向に駆動される。
【００３６】
１３は固定筒であり、その内周にはカム溝部１３ａおよび直進キー溝部１３ｂが形成されている。この固定筒１３はベース９に固定されている。
【００３７】
１４は固定筒１３の外周に嵌合し、光軸回りで回転する駆動環である。この駆動環１４は、その外周に設けられたギア部１４ａに連結された不図示の鏡筒モータ等からなる鏡筒駆動装置およびギア列１５によって回転駆動される。また、駆動環１４は、その内周に駆動キー溝部１４ｂを有する。
【００３８】
固定筒１３の内周には、カム筒１６が設けられている。このカム筒１６の外周には、固定筒１３のカム溝部１３ａに係合するカムピン１６ａと、駆動環１４の駆動キー溝部１４ｂに係合する駆動ピン１６ｂとが一体的に設けられている。また、カム筒１６の内周には、１群カム溝部１６ｃと２群カム溝部１６ｄとが形成されている。
【００３９】
駆動環１４が回転すると、駆動キー溝部１４ｂと駆動ピン１６ｂとの係合によってカム筒１６は回転しながらカム溝部１３ａに沿って光軸方向に駆動される。
【００４０】
１７はカム筒１６の内周に嵌合した直進筒であり、この直進筒１７は、固定筒１３の直進キー溝部１３ｂに係合する直進キー部１７ａを有する。また、この直進筒１７は、その光軸方向両端に設けられたバヨネット爪１７ｂとフランジ１７ｃとによってカム筒１６を光軸方向にて挟み込んでおり、これにより直進筒１７は、カム筒１６と共に光軸方向に回転することなく移動する。
【００４１】
直進筒１７には、その筒本体部を貫通する３箇所の１群直進キー溝部（請求の範囲にいう直進ガイド溝部）１７ｄと、筒本体部を貫通する３箇所の２群直進キー溝部１７ｅとが設けられている。
【００４２】
２１は最も物体側の１群レンズ１８を保持する１群保持鏡筒（請求の範囲にいうレンズ保持筒）である。この１群保持鏡筒２１は、カム筒１６の１群カム溝部（請求の範囲にいうカム溝部）１６ｃに係合する３個所のピン部（請求の範囲にいうカムフォロア部）２１ａと、直進筒１７の１群直進キー溝部１７ｄに係合する３箇所の直進キー部２１ｂとを有する。なお、ピン部２１ａおよび直進キー部２１ｂは互いに鏡筒径方向に並んで（重なるように）配置され、１群保持鏡筒２１に一体形成されている。
【００４３】
この１群保持鏡筒２１は、直進筒１７によって直進のみ許容されることから、カム筒１６の回転に伴ってカメラ本体に対して回転することなく、１群カム溝部１６ｃに沿って駆動され、カム筒１６に対して光軸方向に進退する。
【００４４】
ここで、１群直進キー溝部１７ｄの側面（鏡筒周方向端面）には、光軸方向に延びるガイドレール（請求の範囲にいうレール部分）１７ｆが形成されている。
【００４５】
一方、１群直進キー溝部１７ｄに係合する１群保持鏡筒２１の直進キー部２１ｂには、上記ガイドレール１７ｆに鏡筒径方向において係合可能なガイド爪（請求の範囲にいう爪状部分）２１ｃが形成されている。
【００４６】
１９は鏡筒収納時に１群レンズ１８を保護するレンズバリアであり、２０はこのレンズバリア１９を開閉駆動するバリア駆動装置である。これらレンズバリア１９およびバリア駆動装置２０は、１群保持鏡筒２１の前端部に固定されている。
【００４７】
２２は２群レンズであり、２群ホルダ２５に保持されている。また、２群ホルダ２５には。シャッター羽根２３およびシャッター駆動装置２４が取り付けられている。
【００４８】
２群ホルダ２５は、カム筒１６の２群カム溝部１６ｄに係合する不図示の２箇所のカムピン２５ａと、付勢バネ２６によって径方向外方に付勢されて２群カム溝部１６ｄに押圧される付勢ピン２７と、直進筒１７の２群直進キー溝部１７ｅに係合する直進キー部２５ｂとを有する。
【００４９】
この２群ホルダ２５は、２群直進キー溝部１７ｅによって光軸方向への移動のみが許容され、カム筒１６の回転に伴ってカメラ本体に対し回転することなく、２群カム溝１６ｄに沿って駆動され、カム筒１６に対して光軸方向に進退する。
【００５０】
ハード基板５の回路には、不図示の鏡筒モータ等からなる鏡筒駆動装置、レンズ繰り出し機構１２およびシャッター駆動装置２４がフレキシブルプリント基板２８を介して電気的に接続されている。
【００５１】
このように構成された差動繰り出しタイプのレンズ鏡筒を用いたデジタルカメラにおいて、図２に示す非使用状態から外装部材３の操作部材を操作して使用状態にすると、ハード基板５上の回路によって鏡筒駆動装置が制御され、駆動環１４が回転駆動されることによって、カム筒１６および１群保持鏡筒２１が光軸方向に進退駆動されるとともに、２群ホルダ２５が光軸方向に繰り出す。また、レンズ繰り出し機構１２を制御することで、３群レンズ１０を駆動し、光学系を図１に示す使用状態に配置する。
【００５２】
使用状態でレリーズ操作がなされると、ＡＦ，ＡＥ動作を行って露光、画像処理および記録動作が行われる。
【００５３】
以上のように構成されたレンズ鏡筒の１群保持鏡筒２１に、使用状態においてカメラの落下やレンズ鏡筒の先端をぶつける等して光軸方向の衝撃が加わった場合、従来であれば、１群保持鏡筒２１が傾いたり変形したりして、１群保持鏡筒２１に設けられたピン部２１ａがカム筒１６の１群カム溝部１６ｃから外れるおそれが生ずるが、本実施形態では、上記ガイドレール１７ｆとガイド爪２１ｃとの係合によって、ピン部２１ａが内周側に所定量（係合ガタ分）以上移動することが阻止されるので、ピン部２１ａの１群カム溝部１６ｃからの外れが確実に防止される。
【００５４】
また、本実施形態では、ガイドレール１７ｆとガイド爪２１ｃとの係合面が、図２に示すように、光軸方向視において（つまりは光軸直交断面が）、内側ほど光軸寄りに位置するテーパー面となっている。
【００５５】
上記係合面に、１群保持鏡筒２１の光軸方向ガイド面としての役割を果たさせることもできる。したがって、１群直進キー溝部１７ｄにガイドレール１７ｆを設けたことによって１群直進キー溝部１７ｄが本来の直進ガイド機能を損なうことなく、ピン部２１ａの１群カム溝部１６ｃからの外れを確実に防止することができる。
【００５６】
なお、本実施形態では、デジタルカメラ用のレンズ鏡筒について説明したが、本発明は、デジタルカメラに限らず、フィルムカメラやビデオカメラのレンズ鏡筒にも適用することができる。
【００５７】
【発明の効果】
以上説明したように、本発明によれば、レンズ保持筒にカムフォロア部と直進キー部とを鏡筒径方向に並べて設け、直進キー部とガイド筒に設けられた直進ガイド溝部とを、カムフォロア部のカム筒に設けられたカム溝部に対する鏡筒径方向への移動を制限する形状に形成しているので、レンズ保持筒に光軸方向外力が作用してカムフォロア部がカム溝部に対して鏡筒径方向に移動（外れ）しようとしても、直進キー部と直進ガイド溝部との移動制限作用によって上記外れを確実に防止することができ、衝撃に強いレンズ鏡筒およびカメラを実現することができる。
【００５８】
また、直進キー部に設けた爪状部分と直進ガイド溝部に設けたレール部分との係合面を、光軸方向視において（つまりは光軸直交断面が）テーパー面となるように形成すれば、上記係合面にレンズ保持筒の光軸方向ガイド面としての役割をも果たさせることができ、本来の直進ガイド溝部としての機能を損なうことなく上記外れを確実に防止することができる。
【図面の簡単な説明】
【図１】本発明の実施形態であるカメラ（使用状態）の縦断面図。
【図２】上記カメラ（非使用状態）の縦断面図。
【図３】図１のＢ−Ｂ断面図。
【図４】従来のカメラ（使用状態）の縦断面図。
【図５】従来のカメラ（非使用状態）の縦断面図。
【図６】図５のＡ−Ａ断面図。
【図７】従来のカメラにおいて１群保持鏡筒に衝撃が加わった状態を示す図。
【符号の説明】
１，１０１…カメラ本体
９，１０９…ベース
１１…３群ホルダ
１３，１１３…固定筒
１４，１１４…駆動環
１６，１１６…カム筒
１６ｃ，１１６ｃ…１群カム溝部
１７，１１７…直進筒
１７ｄ，１１７ｄ…１群直進キー溝部
１７ｆ…ガイドレール
１９，１１９…レンズバリア
２１，１２１…１群保持鏡筒
２１ａ，１２１ａ…ピン部
２１ｃ…ガイド爪
２５，１２５…２群ホルダ
【図１】
0004671315.tif 000002
【図２】
0004671315.tif 000003
【図３】
0004671315.tif 000004
【図４】
0004671315.tif 000005
【図５】
0004671315.tif 000006
【図６】
0004671315.tif 000007
【図７】
0004671315.tif 000008